(57)【特許請求の範囲】
【請求項１】
支点となる開閉軸によって開閉自在に連結された一対の挟持部材からなり、前記各挟持部材は同一の形状を有し前記開閉軸を挟んで開閉操作部とピンチ部を有し、対面する前記ピンチ部が互いに閉じあうように付勢する為にＣ形線加工ばねを有した従来のＶ字型洗濯ピンチにおいて。開閉補助具の連結棒具の形状として、Ｖ字型洗濯ピンチのピンチ部が閉塞した状態で、Ｃ形線加工ばね上端の位置に対面する左右の開閉操作部外側の幅を連結棒具の水平部の長さとして、水平部の両端に球体を有し水平部の中央に乾燥枠器具連結部及び物干し竿連結部として吊り手を形成した逆Ｔ字形状の前記連結棒具を設ける。前記開閉操作部の形状として、前記Ｃ形線加工ばね挿通孔を前記連結棒具の球体と前記Ｃ形線加工ばねが同時に入る幅に広げる、前記Ｃ形線加工ばね挿通孔上端から前記開閉操作部の上方まで前記連結棒具の水平部が通る溝を前記開閉操作部に設ける、前記Ｃ形線加工ばね挿通孔から前記連結棒具を取り外し可能として挿入する。前記連結棒具の水平部の球体を前記Ｃ形線加工ばね上端の位置より左右の前記開閉操作部の溝の外側に出し前記連結棒具の球体を、左右の前記開閉操作部の外側に接触させた構成及び形状を特徴としたＶ字型洗濯ピンチの開閉補助具。
【発明の詳細な説明】
【技術分野】
【０００１】  本発明は、洗濯ピンチに吊るされた洗濯物を迅速に取り外す為の開閉補助具に関する。
【背景技術】
【０００２】  Ｖ字形洗濯ピンチの左右の開閉操作部上端を横長の矩型枠にて囲み、洗濯物を下方に引き横長矩型枠の形状の変化により、左右の開閉操作部を内方に圧し洗濯ピンチを開口させ、洗濯物を取り外す洗濯ピンチの開閉補助具が有る（例えば、特許文献１参照。）。【０００３】  金属、合成樹脂等にて枠状のピンチ開き具を作成し、開き具の中に左右の開閉操作部を入れ、Ｖ字型の左右の開閉操作部を利用して、洗濯物を下方に引く事により洗濯物を取り外す洗濯ピンチの開閉補助具が有る（例えば、特許文献２参照。）。
【先行技術文献】
【特許文献】
【０００４】
【特許文献１】特開２００９−８２６７９号  広報
【０００５】
【特許文献２】特開２００９−４５４０８号  広報
【発明の概要】
【発明が解決しようとする課題】
【０００６】  特許文献１は、横長矩型枠の形状が変化し、左右の開閉操作部が内側に圧する力を得るので、横長矩型枠の素材として柔軟性があり耐久性を必要とし、素材の設定に難点がある。【０００７】  特許文献１及び特許文献２において、洗濯ピンチに吊るされた洗濯物を下方に引く事により、左右の開閉操作部が内側に圧する力を得る考え方は本発明の開閉補助具と同じである。しかし、各ピンチ開き具の構成及び形状上、洗濯ピンチとピンチ開き具を分割製造及び分割販売ができず、破損したピンチ開き具或は洗濯ピンチを取替え、ピンチ開き具を有した洗濯ピンチとして再使用できない。【０００８】  本発明は、このような従来の構成が有していた問題を解決しようとするものであり、非柔軟性で耐久性がある金属或は合成樹脂による素材の両端に球体を有し中央に乾燥枠器具連結部として吊り手を形成したＴ字形状の連結棒具を、洗濯ピンチの左右の開閉操作部に設けた溝から取り外し可能として挿入し、洗濯物を下方に引き洗濯ピンチに力が加わると、連結棒具が左右の開閉操作部の溝の上方に移動して発生する動力を、左右の開閉操作部が内側に圧する力として伝達を行ない、対面するピンチ部が開く構成及び形状として、破損した洗濯ピンチ或は連結棒具を取替え再使用でき、洗濯ピンチと連結棒具を分割製造及び分割販売が可能な、洗濯ピンチの開閉補助具を実現することを目的とするものである。
【課題を解決するための手段】
【０００９】  本発明は上記目的を達成するために、従来のＶ字形洗濯ピンチ以下洗濯ピンチとする、において、連結棒具の水平部の長さを、ピンチ部が閉塞した状態で、Ｃ形線加工ばね上端の位置に対面する開閉操作部の幅として、両端に球体を有し中央に乾燥枠器具連結部として吊り手を形成したＴ字形状の連結棒具を設ける、左右の開閉操作部のＣ形線加工ばね挿通孔を下端として同一線上に連結棒具の水平部が通る溝を上方まで設ける、開閉操作部の溝の下端部を、連結棒具の球体とＣ形線加工ばねが同時に入る幅に広げ、連結棒具を取り外し可能として挿入する、連結棒具の球体を開閉操作部の溝の外側に出し開閉操作部の外側に接触させる、構成及び形状による洗濯ピンチの開閉補助具により課題解決手段とする。【００１０】  上記課題解決手段による作用は次の通りである、洗濯ピンチに連結棒具を挿入して連結棒具中央の乾燥枠器具連結部を乾燥枠器具に吊るし、洗濯物を洗濯ピンチに吊り下げ、連結棒具がＣ形線加工ばね上端付近でピンチ部が洗濯物を閉塞する、洗濯物を下方に引き洗濯ピンチに力が加わると、連結棒具に対して洗濯ピンチが下方に下がり、連結棒具が左右の開閉操作部の溝の上方に上がる、よって、左右の開閉操作部が連結棒具の球体により、内側に圧する力が加えられ対面するピンチ部が開く。【００１１】  左右の開閉操作部の下方の幅と上方の幅の差が大きい場合、対面するピンチ部の開く幅も大きくなる、連結棒具が開閉操作部の溝の下方に在るときは、対面するピンチ部が閉塞し、連結棒具が開閉操作部の溝の上方に在るときは、対面するピンチ部が全開するように、左右の開閉操作部を開閉軸より外側に反らせＶ字形にする必要がある。【００１２】  連結棒具を、非柔軟性で耐久性がある金属或は合成樹脂による素材とし、連結棒具を左右の開閉操作部の溝の下端部から取り外し可能とすることにより、洗濯ピンチと連結棒具を分割製造及び分割販売でき、破損した洗濯ピンチ或は連結棒具を取替え再使用できる。
【発明の効果】
【００１３】  洗濯ピンチより連結棒具を取り外し、洗濯物を掴む洗濯ピンチとして使用することができ、破損した洗濯ピンチ或は連結棒具を取り替え、開閉補助具を有した洗濯ピンチとして再使用できた。【００１４】  連結棒具を金属或は合成樹脂による素材として、材料のコストを極力抑え、洗濯ピンチと連結棒具の分割製造により、製造コストを抑え、分割販売により低価販売を可能とした。【００１５】  洗濯ピンチに吊るされた洗濯物を下方に引くと、対面するピンチ部がスムーズに開き、洗濯物をいためずに少ない力で洗濯物を迅速に取り外すことができた。
【図面の簡単な説明】
【００１６】
【図１】ピンチ部を開いた洗濯ピンチの開閉補助具斜視図
【図２】ピンチ部を閉じた洗濯ピンチの開閉補助具斜視図
【図３】連結棒具の正面図
【図４】ピンチ部を開いた洗濯ピンチの開閉補助具正面図
【図５】ピンチ部を閉じた洗濯ピンチの開閉補助具正面図
【発明を実施するための形態】
【００１７】  この発明を実施するための最良の形態を図１〜５に基づき説明する。各部分は、拡張して図に表示し、寸法形状の比較関係等が実物と異なる場合がある。
【００１８】  従来の洗濯ピンチの構成及び形状として、支点となる開閉軸２によって、開閉自在に連結され同一の形状を有した一対の挟持部材３からなり、開閉軸２を挟んで開閉操作部４とピンチ部５を設け、左右の開閉操作部４を開閉軸２より外側に反らせＶ字形にして、左右の開閉操作部４にＣ形線加工ばね６挿通孔を形成し、ピンチ部５にＣ形線加工ばね連結部を、開閉操作部４のばね挿通孔の同一線上に形成し、開閉軸２を跨いでＣ形線加工ばね６が対面するピンチ部５を挟むように連結する（図１、２参照。）。
【００１９】  本発明の洗濯ピンチの開閉補助具の構成及び形状として、連結棒具８の水平部の長さを、ピンチ部５が閉塞した状態で、Ｃ形線加工ばね６上端の位置に対面する開閉操作部４の幅とする（図２、５参照。）。
【００２０】  両端に球体９を有し中央に乾燥枠器具連結部１０として吊り手を形成した、Ｔ字形状の連結棒具８を設ける（図３参照。）。
【００２１】  左右の開閉操作部４のＣ形線加工ばね６挿通孔を下端として、同一線上に連結棒具８の水平部が通る溝７を上方まで設ける（図１、２参照。）。
【００２２】  左右の開閉操作部の溝７の下端部を、連結棒具の球体９とＣ形線加工ばね６が同時に入る幅に広げ、連結棒具８を取り外し可能として挿入する（図１、２参照。）。
【００２３】  連結棒具の球体９を、開閉操作部の溝７の外側に出し開閉操作部４の外側に接触させ、連結棒具８が上下移動することにより、開閉操作部４に力を伝達する（図１、２参照。）。
【００２４】  連結棒具８中央より垂直に乾燥枠器具連結部１０として棒状或いは鎖状の吊り手を設け、上部先端を乾燥枠器具に吊るし、洗濯物を洗濯ピンチ１に吊り下げ、連結棒具８がＣ形線加工ばね６上端付近で、対面するピンチ部５が洗濯物を閉塞する（図２、５参照。）。
【００２５】  洗濯物を下方に引き洗濯ピンチ１に力が加わると、連結棒具８に対して洗濯ピンチ１が下方に下がり、連結棒具８が左右の開閉操作部の溝７の上方に上がる、よって、左右の開閉操作部４が連結棒具の球体９により内側に圧する力が加えられ、対面するピンチ部５が開く（図１、４参照。）。
【００２６】  連結棒具８、球体９、乾燥枠器具連結部１０の素材として金属が望ましいが、合成樹脂を用いることもある、又乾燥枠器具連結部１０の形状として、棒状或いは鎖状とする。
【符号の説明】
【００２７】  １  開閉補助具を有した洗濯ピンチ
２  開閉軸
３  挟持部材
４  開閉操作部
５  ピンチ部
６  Ｃ形線加工ばね
７  開閉操作部の溝
８  連結棒具
９  連結棒具の球体
１０  連結棒具の乾燥枠器具連結部
【要約】
【課題】  洗濯物を下方に引き洗濯ピンチに力が加わると、両端に球体を有し中央に乾燥枠器具連結部として吊り手を形成し取り外し可能な連結棒具が、洗濯ピンチの両開閉操作部に設けた溝の上方に上がりピンチ部が開く構成とし、洗濯ピンチと連結棒具を分割製造及び分割販売できる洗濯ピンチの開閉補助具を提供する。
【解決手段】  連結棒具の長さを、ピンチ部が閉塞した状態で、Ｃ形線加工ばね上端の位置に対面する開閉操作部の幅とする。開閉操作部の下方から上方まで溝を設け、溝の下端部を連結棒具の球体が入る幅に広げ、連結棒具を取り外し可能として挿入する。連結棒具の球体を溝の外側に出し開閉操作部の外側に接触させる。洗濯物を下方に引き洗濯ピンチに力が加わると、連結棒具が溝の上方に移動して、左右の開閉操作部が連結棒具の球体により、内側に圧する力が加えられピンチ部が開く。洗濯ピンチと連結棒具を分割製造分割販売できる洗濯ピンチの開閉補助具を解決手段とする。
【選択図】図２【図１】
0005120988.tif 000002
【図２】
0005120988.tif 000003
【図３】
0005120988.tif 000004
【図４】
0005120988.tif 000005
【図５】
0005120988.tif 000006